(57)【特許請求の範囲】
【請求項１】
左右一対のカップ部と、
前記カップ部の下縁部側を支持する土台部と、
前記左右一対のカップ部の前中心に対応して配置される樹脂製のフレーム部材と、を備え、
前記フレーム部材は、
前記土台部に沿うように前記前中心を挟んで左右に延びる土台支持片と、
前記カップ部の下縁部に沿うように前記土台支持片に左右一対に設けられたカップ支持片と、を有し、
前記土台支持片と前記カップ支持片との境界部分は、前記カップ部の下縁辺に沿い、
前記境界部分の脇側端は、前記カップ部における前記下縁辺の前中心側端点の位置を基準とし、前記下縁辺の最下端の位置をＡとした場合に、１／２Ａ〜３／２Ａの範囲内に位置しているカップ付き衣類。
【請求項２】
左右一対のカップ部と、
前記カップ部の下縁部側を支持する土台部と、
前記左右一対のカップ部の前中心に対応して配置される、樹脂製を除く可撓性のフレーム部材と、を備え、
前記フレーム部材は、
前記土台部に沿うように前記前中心を挟んで左右に延びる土台支持片と、
前記カップ部の下縁部に沿うように前記土台支持片に左右一対に設けられたカップ支持片と、を有し、
前記土台支持片と前記カップ支持片との境界部分は、前記カップ部の下縁辺に沿い、
前記境界部分の脇側端は、前記カップ部における前記下縁辺の前中心側端点の位置を基準とし、前記下縁辺の最下端の位置をＡとした場合に、１／２Ａ〜３／２Ａの範囲内に位置しているカップ付き衣類。
【請求項３】
前記カップ支持片は、前記土台支持片に対して鈍角に傾斜している請求項１又は２記載のカップ付き衣類。
【請求項４】
前記境界部分の可撓性は、前記境界部分以外の他の部分の可撓性に比べて低くなっている請求項１〜３のいずれか一項記載のカップ付き衣類。
【請求項５】
前記他の部分の可撓性は、前記境界部分から近い部分に比べて遠い部分の方が高くなっている請求項４記載のカップ付き衣類。
【請求項６】
前記境界部分における脇側端部及び前中心側端部の少なくとも一方の可撓性は、前記境界部分における他の部分の可撓性よりも高くなっている請求項４又は５記載のカップ付き衣類。
【請求項７】
前記カップ支持片の最大幅は、前記カップ部におけるバストトップの位置と前記下縁辺の前記最下端の位置との間の距離をＢとした場合に、１／６Ｂ以上２／３Ｂ以下となっている請求項１〜６のいずれか一項記載のカップ付き衣類。
【請求項８】
前記フレーム部材は、前記前中心に対応する位置において凹状の切欠部を有している請求項１〜７のいずれか一項記載のカップ付き衣類。
【請求項９】
前記土台部の脇側から延びるバック部と、
前記バック部の上縁部と前記カップ部の上縁部の脇側とを連結するストラップ部と、を更に備え、
前記カップ部は、前記カップ部と前記ストラップ部との連結領域と、前記カップ部における前記下縁辺の前中心側端の位置を基準とし、前記下縁辺の最下端の位置をＡとした場合に、１／２Ａ〜２Ａの範囲内のいずれかの位置とを繋ぐ第１のラインによって区切られた第１の前中心側部分と第１の脇側部分とを有し、
前記第１の脇側部分の厚さは、前記第１の前中心側部分の厚さに比べて小さくなっている請求項１〜８のいずれか一項記載のカップ付き衣類。
【請求項１０】
前記土台部の脇側から延びるバック部と、
前記バック部の上縁部と前記カップ部の上縁部の脇側とを連結するストラップ部と、を更に備え、
前記カップ部は、前記カップ部と前記ストラップ部との連結領域と、前記カップ部における前記下縁辺の前中心側端の位置を基準とし、前記下縁辺の最下端の位置をＡとした場合に、１／２Ａ〜２Ａの範囲内のいずれかの位置とを繋ぐ第２のラインによって区切られた第２の前中心側部分と第２の脇側部分とを有し、
前記第２の脇側部分の伸長性は、前記第２の前中心側部分の伸長性に比べて低くなっている請求項１〜９のいずれか一項記載のカップ付き衣類。
【発明の詳細な説明】
【技術分野】
【０００１】
本開示は、カップ付き衣類に関する。
【背景技術】
【０００２】
従来のカップ付き衣類として、バストを支持するための金属製のワイヤ部材をカップ部の下縁部に沿って配置したものが知られている。金属製のワイヤ部材は、バストの支持力に優れる一方、着用者に対する肌当たりが強く、カップ付き衣類の付け心地の確保が課題となっている。このような課題に対し、近年では、金属製のワイヤ部材に代えて、樹脂製の部材をバストの支持に用いたカップ付き衣類が提案されている。【０００３】
かかるカップ付き衣類としては、例えば特許文献１に記載のバスト用衣類がある。このカップ付き衣類は、左右一対のカップ部と、左右一対のサポート部とを備えて構成されている。サポート部は、熱可塑性樹脂等の柔軟性のある素材によって形成され、カップ部の下縁側領域に沿って配置されるベース部と、カップ部の前中心側領域においてベース部の端部から上方に突出する突出部とを備えている。
【先行技術文献】
【特許文献】
【０００４】
【特許文献１】特許第６０８１５６６号公報
【発明の概要】
【発明が解決しようとする課題】
【０００５】
上述した特許文献１に記載のバスト用衣類では、金属製のワイヤ部材を用いた場合と同様、着用者のバストのバージスラインに沿ってカップ部の下縁部の全体にサポート部が配置されている。このような構成では、サポート部の存在感が依然として残存するため、着用者に対する肌当たりの良さを向上させる点で改善の余地がある。また、カップ部の下縁部の全体にサポート部を配置する構成では、着用者の体型差に対する対応性についても改善の余地がある。【０００６】
本開示は、上記課題の解決のためになされたものであり、肌当たりの良さ及びバストの造形性を両立させることができ、かつ着用者の体型差に対する対応性に優れたカップ付き衣類を提供することを目的とする。
【課題を解決するための手段】
【０００７】
本開示に係るカップ付き衣類は、左右一対のカップ部と、カップ部の下縁部側を支持する土台部と、左右一対のカップ部の前中心に対応して配置される樹脂製のフレーム部材と、を備え、フレーム部材は、土台部に沿うように前中心を挟んで左右に延びる土台支持片と、カップ部の下縁部に沿うように土台支持片に左右一対に設けられたカップ支持片と、を有し、土台支持片とカップ支持片との境界部分は、カップ部の下縁辺に沿い、境界部分の脇側端は、カップ部における下縁辺の前中心側端の位置を基準とし、下縁辺の最下端の位置をＡとした場合に、１／２Ａ〜３／２Ａの範囲内に位置している。【０００８】
また、本開示に係るカップ付き衣類は、左右一対のカップ部と、カップ部の下縁部側を支持する土台部と、左右一対のカップ部の前中心に対応して配置される、樹脂製を除く可撓性のフレーム部材と、を備え、フレーム部材は、土台部に沿うように前中心を挟んで左右に延びる土台支持片と、カップ部の下縁部に沿うように土台支持片に左右一対に設けられたカップ支持片と、を有し、土台支持片とカップ支持片との境界部分は、カップ部の下縁辺に沿い、境界部分の脇側端は、カップ部における下縁辺の前中心側端点の位置を基準とし、下縁辺の最下端の位置をＡとした場合に、１／２Ａ〜３／２Ａの範囲内に位置している。【０００９】
これらのカップ付き衣類では、樹脂製のフレーム部材がカップ部の下縁部の限られた範囲にのみ配置されるため、着用時のフレーム部材の存在感を十分に低減することが可能となり、着用者に対する肌当たりの良さを十分に確保できる。また、カップ部の脇側にはフレーム部材が配置されないため、着用者の体型差に依らずにカップ部がバストに密着し易くなり、バストが脇側から前中心側に集められる。前中心側に集められたバストは、土台支持片及びカップ支持片によってしっかりと支持される。したがって、肌当たりの良さ及びバストの造形性を両立させることができる。【００１０】
カップ支持片は、土台支持片に対して鈍角に傾斜していてもよい。土台支持片とカップ支持片とが鈍角をなすことで、土台支持片が土台部に一層確実にフィットすると共に、カップ支持片がカップ部の下縁部に一層確実にフィットする。したがって、着用者に対する肌当たりの良さを向上でき、フレーム部材によるバストの造形性も高められる。【００１１】
境界部分の可撓性は、境界部分以外の他の部分の可撓性に比べて低くなっていてもよい。土台支持片とカップ支持片との境界部分が撓みにくい構成とすることで、カップ部の下縁部がカップ支持片によってしっかりと支持され、フレーム部材によるバストの造形性を一層高められる。【００１２】
他の部分の可撓性は、境界部分から近い部分に比べて遠い部分の方が高くなっていてもよい。境界部分を除いた他の部分の撓み易さを調整することで、肌当たりの良さを更に向上できる。【００１３】
境界部分における脇側端部及び前中心側端部の少なくとも一方の可撓性は、境界部分における他の部分の可撓性よりも高くなっていてもよい。境界部分の端部の撓み易さを調整することで、肌当たりの良さを更に向上できる。【００１４】
カップ支持片の最大幅は、カップ部におけるバストトップの位置と下縁辺の最下端の位置との間の距離をＢとした場合に、１／６Ｂ以上２／３Ｂ以下となっていてもよい。この場合、カップ支持片によるカップ部の下縁部の支持機能を確保しつつ、カップ支持片の小サイズ化が図られる。したがって、着用時のフレーム部材の存在感をより確実に低減させることが可能となり、肌当たりの良さを更に向上できる。【００１５】
フレーム部材は、前中心に対応する位置において凹状の切欠部を有していてもよい。これにより、カップ部の上縁部側にフレーム部材が配置されない構成を採り得る。したがって、カップ部への表側布、肌側布、及びパイピング等の縫着が可能となる。【００１６】
また、カップ付き衣類は、土台部の脇側から延びるバック部と、バック部の上縁部とカップ部の上縁部の脇側とを連結するストラップ部と、を更に備え、カップ部は、カップ部とストラップ部との連結領域と、カップ部における下縁辺の前中心側端の位置を基準とし、下縁辺の最下端の位置をＡとした場合に、１／２Ａ〜２Ａの範囲内のいずれかの位置とを繋ぐ第１のラインによって区切られた第１の前中心側部分と第１の脇側部分とを有し、第１の脇側部分の厚さは、第１の前中心側部分の厚さに比べて小さくなっていてもよい。この場合、バック部からの引っ張り力によってカップ部の第１の脇側部分がバストに密着し易くなる。したがって、カップ部によって脇側から前中心側にバストを効果的に集めることができる。【００１７】
また、カップ付き衣類は、土台部の脇側から延びるバック部と、バック部の上縁部とカップ部の上縁部の脇側とを連結するストラップ部と、を更に備え、カップ部は、カップ部とストラップ部との連結領域と、カップ部における下縁辺の前中心側端の位置を基準とし、下縁辺の最下端の位置をＡとした場合に、１／２Ａ〜２Ａの範囲内のいずれかの位置とを繋ぐ第２のラインによって区切られた第２の前中心側部分と第２の脇側部分とを有し、第２の脇側部分の伸長性は、第２の前中心側部分の伸長性に比べて低くなっていてもよい。この場合、着用者の体型差に依らずにカップ部の第２の脇側部分がバストに密着し易くなり、カップ部によって脇側から前中心側にバストを効果的に集めることができる。また、ストラップ部からの引っ張り力によって第２の脇側部分が引き上げられ易くなり、バストの脇流れを抑制できる。したがって、カップ部によるバストの造形性を高めることができる。
【発明の効果】
【００１８】
このカップ付き衣類では、肌当たりの良さ及びバストの造形性を両立させることができる。また、このカップ付き衣類は、着用者の体型差に対する対応性に優れたものとなる。
【図面の簡単な説明】
【００１９】
【図１】カップ付き衣類の一実施形態を示す正面図である。
【図２】フレーム部材の一例を示す正面図である。
【図３】フレーム部材によるカップ部及び土台部の支持状態を示す要部拡大斜視図である。
【図４】カップ部及び土台部に対するフレーム部材の配置関係を示す要部拡大正面図である。
【図５】フレーム部材の変形例を示す正面図である。
【発明を実施するための形態】
【００２０】
以下、図面を参照しながら、カップ付き衣類の好適な実施形態について詳細に説明する。
［カップ付き衣類の構成］
【００２１】
図１は、カップ付き衣類の一実施形態を示す正面図である。同図に示すように、カップ付き衣類１は、例えば女性用のブラジャーとして構成されている。カップ付き衣類１は、左右一対のカップ部２と、カップ部２の下縁部１３側を支持する土台部３と、土台部３の脇側から延びる左右一対のバック部４と、カップ部２とバック部４とを連結する左右一対のストラップ部５とによって構成されている。以下の説明では、左右一対のカップ部２間の中央で鉛直に延びる仮想線を前中心Ｆと称する。
【００２２】
カップ部２は、人体のバストの形状に対応するように、カップ付き衣類１の正面側に突出する椀形状をなしている。カップ部２は、バストトップの位置Ｘにおいて、最も前方に突出している。カップ部２の表面側には、装飾のための表生地が結合されていてもよい。また、カップ部２の裏面（肌側面）側には、肌触り及び吸湿性に優れる素材からなる肌側布が結合されていてもよい。
【００２３】
カップ部２の上縁部１１は、例えばバストの上部に沿うように略中央部分で上向きに凸となるように湾曲している。上縁部１１は、脇側端部１１ａから前中心側端部１１ｂにかけて緩やかに下がっており、左右のカップ部２の前中心側端部１１ｂ，１１ｂによって前中心Ｆの位置を中心とする略Ｖ字状部分Ｖが画成されている。また、カップ部２の脇縁部１２は、腕の動きを阻害することが無いように中心側に向かって緩やかな凹状に湾曲している。カップ部２の下縁部１３は、バストのバージスラインに沿うように下向きに凸となるように湾曲している。下縁部１３の脇側端部１３ａは、脇縁部１２の下端に繋がっている。また、下縁部１３の前中心側端部１３ｂは、上縁部１１の前中心側端部１１ｂに繋がっている。なお、本実施形態では、下縁部１３の脇側端部１３ａにおいて、カップ部２と土台部３とが滑らかに連続し、カップ部２と土台部３との間の境界が明確ではない。このため、図１では、バストのバージスラインに相当する線をカップ部２と土台部３との間の境界線とみなし、仮想的に下縁部１３の脇側端部１３ａとして示している。
【００２４】
土台部３は、左右のカップ部２の下側において横方向に延在している。土台部３の上縁部３ａは、カップ部２の下縁部１３に沿うように凹状に湾曲している。また、土台部３の下縁部３ｂは、前中心Ｆ側では上方に湾曲し、脇側では下方に湾曲している。本実施形態では、カップ部２及び土台部３は、例えば発泡ポリウレタンといった一定の保形性及び弾力性を有する素材を用い、モールド成型によって一体に形成されている。
【００２５】
カップ部２の下縁部１３には、ワイヤ部材は配置されておらず、カップ部２の下縁部１３と土台部３の上縁部３ａとは、滑らかに連続し、かつカップ部２の突出形状に応じて鈍角をなしている。土台部３の上縁部３ａに対するカップ部２の下縁部１３の角度は、カップ部２のサイズ（対応するバストのサイズ）等に応じて適宜設定される。また、バストのバージスラインへのフィット感の向上の観点から、当該角度は、カップ部２の下縁部１３の位置に応じて異なっていてもよく、例えば脇側での角度が前中心Ｆ側での角度よりも大きくなっていてもよい。
【００２６】
バック部４は、土台部３の脇縁部３ｃから延びている。バック部４は、例えばダブルニット等の伸縮性を有する素材によって帯状に形成されている。バック部４における先端側には、ホック８が設けられている。このホック８により、左右のバック部４，４が互いに係脱自在となっている。
【００２７】
ストラップ部５は、例えば長手方向に伸縮性を有するテープ状素材によって構成されている。ストラップ部５に用いられる織物等の素材は、ストラップ部５の長手方向に伸縮性を有していることが好適である。ストラップ部５は、カップ部２とバック部４との間に掛け渡され、いわゆる肩紐を構成している。ストラップ部５の一端は、カップ部２における上縁部１１の脇側端部１１ａに連結され、ストラップ部５の他端は、バック部４の上縁部４ａに連結されている。
［フレーム部材の構成］
【００２８】
上述したカップ付き衣類１には、従来の金属製のワイヤ部材に代えて、樹脂製のフレーム部材２１が配置されている（図１参照）。図２は、フレーム部材の一例を示す正面図である。このフレーム部材２１は、前中心Ｆの周辺において最小限の面積で左右のカップ部２の下縁部１３を支持することにより、着用者のバストを立体的な丸みを帯びた形状に造形する部材である。フレーム部材２１は、図２に示すように、土台部３に沿うように前中心Ｆを挟んで左右に延びる土台支持片２２と、カップ部２の下縁部１３に沿うように土台支持片２２に左右一対に設けられたカップ支持片２３とによって構成されている。
【００２９】
土台支持片２２は、前中心Ｆの周辺における土台部３の形状に沿うように略三角形状をなしている。土台支持片２２の左右の裾部２４は、前中心Ｆにおいて連続し、脇側へ向かうほど幅狭となるように前中心Ｆから脇側に向かって延びている。また、土台支持片２２の中央部２５は、前中心Ｆが通るように配置されている。中央部２５の上方には、前中心Ｆに対応する位置において凹状の切欠部Ｋが設けられている。この切欠部Ｋにより、左右のカップ部２の上縁部１１がなす略Ｖ字状部分Ｖと土台支持片２２とが重なり合わないようになっている（図１参照）。
【００３０】
カップ支持片２３は、角部に丸みを有する帯状をなし、土台支持片２２の左右の裾部２４の上縁側に沿ってそれぞれ設けられている。カップ支持片２３の前中心側端２３ａは、土台支持片２２の裾部２４の前中心側端２４ａと左右方向において同じ位置で終端している。これにより、左右のカップ支持片２３の前中心側端２３ａ同士は、土台支持片２２の切欠部Ｋの形成位置で互いに離間した状態となっている。また、カップ支持片２３の脇側端２３ｂは、土台支持片２２の裾部２４の脇側端２４ｂと左右方向において同じ位置で終端している。
【００３１】
土台支持片２２とカップ支持片２３との境界部分Ｒは、土台支持片２２の裾部２４の上縁に沿って形成されている。カップ支持片２３は、図３に示すように、境界部分Ｒにおいて土台支持片２２に対して鈍角に傾斜している。土台支持片２２とカップ支持片２３とがなす鈍角の角度θは、カップ部２の下縁部１３と土台部３の上縁部１１とがなす角度に準じている。したがって、土台支持片２２に対するカップ支持片２３の角度は、カップ部２のサイズ（対応するバストのサイズ）等に応じて適宜設定される。また、バストのバージスラインへのフィット感の向上の観点から、当該角度は、境界部分Ｒの位置に応じて異なっていてもよく、例えば脇側での角度が前中心Ｆ側での角度よりも大きくなっていてもよい。
【００３２】
本実施形態では、フレーム部材２１は、複数層の樹脂シートによって構成され、土台支持片２２とカップ支持片２３とは、一体的な部材として形成されている。フレーム部材２１において、境界部分Ｒの可撓性は、当該境界部分Ｒ以外の他の部分の可撓性に比べて低くなっている。また、境界部分Ｒにおける脇側端部Ｒａ及び前中心側端部Ｒｂの少なくとも一方の可撓性は、境界部分Ｒにおける他の部分の可撓性よりも高くなっていてもよい。すなわち、脇側端部Ｒａの可撓性が境界部分Ｒにおいて脇側端部Ｒａ以外の他の部分の可撓性よりも高くなっていてもよく、前中心側端部Ｒｂの可撓性が境界部分Ｒにおいて前中心側端部Ｒｂ以外の他の部分の可撓性よりも高くなっていてもよい。また、脇側端部Ｒａ及び前中心側端部Ｒｂの可撓性が境界部分Ｒにおいて脇側端部Ｒａ及び前中心側端部Ｒｂ以外の他の部分の可撓性よりも高くなっていてもよい。
【００３３】
また、フレーム部材２１における境界部分Ｒ以外の他の部分の可撓性は、境界部分Ｒから近い部分に比べて遠い部分の方が高くなっていてもよい。この場合、境界部分Ｒからの可撓性の変化は、連続的であってもよく、段階的であってもよい。フレーム部材２１の可撓性は、これらの形態に限られず、例えば土台支持片２２の下辺側の可撓性のみが他の部分に比べて高くなっていてもよく、フレーム部材２１の全体が均一の可撓性を有していてもよい。
【００３４】
例えばフレーム部材２１では、境界部分Ｒ（土台支持片２２及びカップ支持片２３の境界線、及び当該境界線に隣接する土台支持片２２及びカップ支持片２３の縁部）が最も撓みにくい部分となっている（図２の部分Ｔ１）。次いで、カップ支持片２３における境界部分Ｒ側の縁部を除いた部分、及び土台支持片２２における境界部分Ｒ側の縁部を除いた部分が撓みにくい部分となっている（図２の部分Ｔ２）。一方、フレーム部材２１では、土台支持片２２の中央部分（前中心Ｆに対応する部分）は、上記部分Ｔ１，Ｔ２に比べて撓み易い部分となっている（図２の部分Ｔ３）。なお、カップ支持片２３における境界部分Ｒと反対側の縁部の可撓性は、Ｔ２より大きく且つＴ３より小さくなっていてもよい。同様に、土台支持片２２のおける境界部分Ｒと反対側の縁部（下縁部）の可撓性は、Ｔ２より大きく且つＴ３より小さくなっていてもよい。
【００３５】
フレーム部材２１における部位毎の可撓性は、例えばフレーム部材２１を構成する樹脂シートの積層数、樹脂材料の種類、厚さを部位に応じて変えることによって調整できる。また、これらの調整手法を適宜組み合わせて用いてもよい。カップ部２及び土台部３への配置に当たっては、例えば土台支持片２２とカップ支持片２３とが同一平面上に形成されたシート部材を用意する。そして、このシート部材を立体成型し、カップ部２の突出形状に合わせてカップ支持片２３を土台支持片２２に対して鈍角に屈曲させる。これにより、図１及び図３に示すように、前中心Ｆにおいて土台支持片２２が土台部３に沿って配置され、カップ支持片２３がカップ部２における下縁部１３の前中心側端部１３ｂに沿って配置される。また、土台支持片２２とカップ支持片２３との境界部分Ｒは、カップ部２の下縁辺（下縁部１３の下側の縁）１３ｃに沿って配置される。
［カップ部及び土台部に対するフレーム部材の配置関係］
【００３６】
図４は、カップ部及び土台部に対するフレーム部材の配置関係を示す要部拡大正面図である。同図に示すように、フレーム部材２１は、カップ付き衣類１の前中心Ｆに対応して配置され、カップ部２及び土台部３の前中心Ｆの近傍の限られた範囲のみを支持するようになっている。本実施形態では、フレーム部材２１は、カップ部２及び土台部３を構成する素材の内部に埋没して配置されており、カップ部２の外部からは視認できない状態となっている。
【００３７】
カップ部２及び土台部３に適用されたフレーム部材２１では、土台支持片２２とカップ支持片２３との境界部分Ｒがカップ部２の下縁辺１３ｃに沿った状態となっている。本実施形態では、上述したように、カップ支持片２３の前中心側端２３ａは、土台支持片２２の裾部２４の前中心側端２４ａと左右方向において同じ位置で終端している。また、カップ支持片２３の脇側端２３ｂは、土台支持片２２の裾部２４の脇側端２４ｂと左右方向において同じ位置で終端している。したがって、境界部分Ｒの前中心側端Ｒ１の位置は、カップ支持片２３の前中心側端２３ａの位置、及び土台支持片２２の裾部２４の前中心側端２４ａの位置と左右方向で一致している。また、境界部分Ｒの脇側端Ｒ２の位置は、カップ支持片２３の脇側端２３ｂの位置、及び土台支持片２２の裾部２４の脇側端２４ｂの位置と左右方向で一致している。
【００３８】
ここで、カップ部２における下縁辺１３ｃの前中心側端の位置を基準０とし、下縁辺１３ｃの最下端の位置をＡとした場合、境界部分Ｒの脇側端Ｒ２は、下縁辺１３ｃの前中心側端から１／２Ａ〜３／２Ａの範囲内に位置している（図４における斜線の範囲）。境界部分Ｒの脇側端Ｒ２の位置は、１／２Ａ〜３／２Ａの範囲内において、任意の位置で設定される。１／２Ａの位置は、下縁辺１３ｃの前中心側端から下縁辺１３ｃの最下端の位置Ａまでの下縁辺１３ｃに沿う距離の１／２倍に相当する位置である。また、３／２Ａの位置は、下縁辺１３ｃの前中心側端から下縁辺１３ｃの最下端の位置Ａまでの下縁辺１３ｃに沿う距離の３／２倍に相当する位置である。
【００３９】
例えば境界部分Ｒの脇側端Ｒ２の位置を１／２Ａの位置に近づけた場合には、土台支持片２２及びカップ支持片２３の面積が小さくなり、バストの造形性を確保しつつ、カップ付き衣類１におけるフレーム部材２１の存在感を小さくすることができる。また、例えば境界部分Ｒの脇側端Ｒ２の位置を３／２Ａの位置に近づけた場合には、土台支持片２２及びカップ支持片２３の面積が大きくなり、カップ付き衣類１におけるフレーム部材２１の存在感を抑えつつ、バストの造形性を高めることができる。図４の例では、境界部分Ｒの脇側端Ｒ２は、およそＡの位置に位置している。
【００４０】
また、カップ部２におけるバストトップの位置Ｘと下縁辺１３ｃの最下端の位置Ａとの間の距離をＢとした場合、カップ支持片２３の最大幅Ｗは、１／６Ｂ以上２／３Ｂ以下となっている。距離Ｂは、例えばカップ部２の突出形状に沿ってバストトップの位置Ｘと下縁辺１３ｃの最下端の位置Ａとを結んだ距離である。カップ支持片２３の幅とは、カップ支持片２３において境界部分Ｒと直交する方向の幅である。この幅は、すなわち、カップ部２の下縁辺１３ｃよりも上方へのカップ部２の下縁部１３に対するカップ支持片２３の張出量に相当する。最大幅Ｗは、カップ支持片２３において境界部分Ｒと直交する方向の幅のうち、最大となる部分の幅である。カップ支持片２３の最大幅Ｗを１／６Ｂ以上２／３Ｂ以下とすることで、バストの造形性を確保しつつ、カップ付き衣類１におけるフレーム部材２１の存在感を小さくすることができる。
【００４１】
また、フレーム部材２１が配置されるカップ部２側では、フレーム部材２１によって支持されない部分の厚さが調整されている。より具体的には、カップ部２は、図４に示すように、第１の前中心側部分３１Ａと、第１の脇側部分３２Ａとを有している。第１の前中心側部分３１Ａと第１の脇側部分３２Ａとは、カップ部２とストラップ部５との連結領域Ｐ１と、カップ部２における下縁辺１３ｃの前中心側端の位置から１／２Ａ〜２Ａまでの範囲のいずれかの位置とを繋ぐ仮想的な第１のラインＬ１によって区切られている。２Ａの位置は、下縁辺１３ｃの前中心側端から下縁辺１３ｃの最下端の位置Ａまでの下縁辺１３ｃに沿う距離の２倍に相当する位置である。
【００４２】
第１のラインＬ１によって区切られた第１の脇側部分３２Ａの厚さは、第１の前中心側部分３１Ａの厚さに比べて小さくなっている。カップ部２の厚さは、部位によって若干の差異があるが、例えば第１の脇側部分３２Ａの最も厚い部分の厚さは、第１の前中心側部分３１Ａの最も薄い部分の厚さ未満となっている。第１の脇側部分３２Ａは、第１の前中心側部分３１Ａと一体成型されていなくてもよく、第１の脇側部分３２Ａを構成する別素材を第１の前中心側部分３１Ａに対して縫着してもよい。
【００４３】
また、フレーム部材２１が配置されるカップ部２側では、フレーム部材２１によって支持されない部分の伸長性が調整されている。より具体的には、カップ部２は、図４に示すように、第２の前中心側部分３１Ｂと、第２の脇側部分３２Ｂとを有している。第２の前中心側部分３１Ｂと第２の脇側部分３２Ｂとは、カップ部２とストラップ部５との連結領域Ｐ１と、カップ部２における下縁辺１３ｃの前中心側端の位置から１／２Ａ〜２Ａまでの範囲のいずれかの位置とを繋ぐ仮想的な第２のラインＬ２によって区切られている。
【００４４】
第２のラインＬ２によって区切られた第２の脇側部分３２Ｂの伸長性は、第２の前中心側部分３１Ｂの伸長性に比べて低くなっている。第２の脇側部分３２Ｂの伸長性の調整は、例えばマーキゼット、トリコット、不織布、高密度ウレタン等の難伸縮性の素材を用いて行うことができる。例えばカップ部２をモールド成型する際に、第２の脇側部分３２Ｂとなる領域に難伸縮性の素材を発泡ポリウレタン等の素材で挟みこむことで、第２の脇側部分３２Ｂの伸長性を第２の前中心側部分３１Ｂの伸長性に比べて低くすることができる。
【００４５】
第１のラインＬ１及び第２のラインＬ２の一端が通る連結領域Ｐ１は、カップ部２の上縁部１１の脇側端部１１ａにおいて、カップ部２の構成素材とストラップ部５の構成素材とが連結のために重なっている領域である。ただし、連結領域Ｐ１には、着用時にストラップ部５による引き上げ力が作用する範囲において、構成素材の重なり領域に隣接する領域も含まれ得る。例えば連結領域Ｐ１には、カップ部２の上縁部１１の脇側端からカップ部２の上縁部１１の辺の長さの１／３までの範囲が含まれていてもよい。また、連結領域Ｐ１には、カップ部２の脇縁部１２の上端（上縁部１１の脇側端と一致）から脇縁部１２の辺の長さの１／２までの範囲が含まれていてもよい。第１のラインＬ１及び第２のラインＬ２の他端が通るカップ部２の下縁辺１３ｃの範囲は、主としてフレーム部材２１が配置されていない領域となるが、第１のラインＬ１及び第２のラインＬ２の他端とフレーム部材２１の境界部分Ｒの脇側端Ｒ２とが接していてもよい。
【００４６】
図４の例では、第１のラインＬ１の一端は、連結領域Ｐ１において、カップ部２の構成素材とストラップ部５の構成素材との重なり領域の中央を通っている。また、第１のラインＬ１の他端は、カップ部２における下縁辺１３ｃの３／２Ａの位置を通っている。第２のラインＬ２の一端は、連結領域Ｐ１において、カップ部２の構成素材とストラップ部５の構成素材との重なり領域の前中心Ｆ側を通っている。また、第２のラインＬ２の他端は、カップ部２における下縁辺１３ｃのＡの位置を通っている。
【００４７】
なお、図４の例では、第１のラインＬ１及び第２のラインＬ２は、カップ部２の正面視において直線状をなしているが、第１のラインＬ１及び第２のラインＬ２は、直線状に限られるものではなく、前中心Ｆ側或いは脇縁部１２側に凸となるような湾曲線状をなしていてもよい。第１のラインＬ１及び第２のラインＬ２は、一致していてもよい。また、第１のラインＬ１が第２のラインＬより脇側に位置していてもよく、第１のラインＬ１が第２のラインＬより前中心Ｆ側に位置していてもよい。第１のラインＬ１と第２のラインＬ２とは、交差していてもよい。
［カップ付き衣類の作用効果］
【００４８】
以上の構成を有するカップ付き衣類１では、樹脂製のフレーム部材２１がカップ部２の下縁部１３の限られた範囲にのみ配置されるため、着用時のフレーム部材２１の存在感を十分に低減することが可能となり、着用者に対する肌当たりの良さを十分に確保できる。また、カップ付き衣類１では、カップ部２の脇側にはフレーム部材２１が配置されないため、着用者の体型差に依らずにカップ部２がバストに密着し易くなり、バストが脇側から前中心Ｆ側に集められる。前中心Ｆ側に集められたバストは、土台支持片２２及びカップ支持片２３によってしっかりと支持される。したがって、肌当たりの良さ及びバストの造形性を両立させることができる。
【００４９】
また、カップ付き衣類１では、カップ支持片２３が土台支持片２２に対して鈍角に傾斜している。土台支持片２２とカップ支持片２３とが鈍角をなすことで、土台支持片２２が土台部３に一層確実にフィットすると共に、カップ支持片２３がカップ部２の下縁部１３に一層確実にフィットする。したがって、着用者に対する肌当たりの良さを向上でき、フレーム部材２１によるバストの造形性も高められる。
【００５０】
また、カップ付き衣類１では、土台支持片２２とカップ支持片２３との境界部分Ｒの可撓性が、境界部分Ｒ以外の他の部分の可撓性に比べて低くなっている。土台支持片２２とカップ支持片２３との境界部分Ｒが撓みにくい構成とすることで、カップ部２の下縁部１３がカップ支持片２３によってしっかりと支持され、フレーム部材２１によるバストの造形性を一層高められる。
【００５１】
また、カップ付き衣類１では、フレーム部材２１における他の部分（境界部分Ｒ以外の部分）の可撓性は、境界部分Ｒから近い部分に比べて遠い部分の方が高くなっている。このように、境界部分Ｒを除いた他の部分の撓み易さを調整することで、肌当たりの良さを更に向上できる。また、境界部分Ｒにおける脇側端部Ｒａ及び前中心側端部Ｒｂの少なくとも一方の可撓性が境界部分Ｒにおける他の部分の可撓性よりも高くなっていてもよい。この場合、境界部分Ｒの端部の撓み易さを調整することで、肌当たりの良さを更に向上できる。
【００５２】
また、カップ付き衣類１では、カップ部２におけるバストトップの位置Ｘと下縁辺１３ｃの最下端の位置Ａとの間の距離をＢとした場合に、カップ支持片２３の最大幅Ｗが１／６Ｂ以上２／３Ｂ以下となっている。カップ支持片２３の最大幅Ｗが当該範囲を満たすことで、カップ支持片２３によるカップ部２の下縁部１３の支持機能を確保しつつ、カップ支持片２３の小サイズ化が図られる。したがって、着用時のフレーム部材２１の存在感をより確実に低減させることが可能となり、肌当たりの良さを更に向上できる。
【００５３】
また、カップ付き衣類１では、フレーム部材２１が前中心Ｆに対応する位置において凹状の切欠部Ｋを有している。これにより、カップ部２の上縁部１１側にフレーム部材２１が配置されない構成を採り得るため、左右のカップ部２の結合位置を切欠部Ｋから露出させることができる。したがって、したがって、カップ部２への表側布、肌側布、及びパイピング等の縫着が可能となる。
【００５４】
また、カップ付き衣類１では、カップ部２とストラップ部５との連結領域Ｐ１と、カップ部２における下縁辺１３ｃの前中心側端の位置を基準とし、下縁辺１３ｃの最下端の位置をＡとした場合に、１／２Ａ〜２Ａの範囲内のいずれかの位置とを繋ぐ第１のラインＬ１によって区切られた第１の前中心側部分３１Ａと第１の脇側部分３２Ａとを有している。そして、第１の脇側部分３２Ａの厚さは、第１の前中心側部分３１Ａの厚さに比べて小さくなっている。これにより、バック部４からの引っ張り力によってカップ部２の第１の脇側部分３２Ａがバストに密着し易くなる。したがって、カップ部２によって脇側から前中心Ｆ側にバストを効果的に集めることができる。
【００５５】
また、カップ付き衣類１では、カップ部２とストラップ部５との連結領域Ｐ１と、カップ部２における下縁辺１３ｃの前中心側端の位置を基準とし、下縁辺１３ｃの最下端の位置をＡとした場合に、１／２Ａ〜２Ａの範囲内のいずれかの位置とを繋ぐ第２のラインＬ２によって区切られた第２の前中心側部分３１Ｂと第２の脇側部分３２Ｂとを有している。そして、第２の脇側部分３２Ｂの伸長性は、第２の前中心側部分３１Ｂの伸長性に比べて低くなっている。これにより、着用者の体型差に依らずにカップ部２の第２の脇側部分３２Ｂがバストに密着し易くなり、カップ部２によって脇側から前中心Ｆ側にバストを効果的に集めることができる。また、ストラップ部５からの引っ張り力によって第２の脇側部分３２Ｂが引き上げられ易くなり、バストの脇流れを抑制できる。したがって、カップ部２によるバストの造形性を高めることができる。
［変形例］
【００５６】
本開示は、上記実施形態に限られるものではない。例えば上記実施形態では、フレーム部材２１がカップ部２の構成部材に埋没して配置されている構成を例示したが、フレーム部材２１は、カップ部２の正面側或いは裏面（肌面）側において外部から視認可能に配置されていてもよい。また、フレーム部材２１において、カップ支持片２３の脇側端２３ｂと、土台支持片２２の裾部２４の脇側端２４ｂとは、必ずしも左右方向において同じ位置で終端していなくてもよい。例えばカップ支持片２３の脇側端２３ｂ及び土台支持片２２の裾部２４の脇側端２４ｂの一方が、他方に比べてカップ部２の脇側に位置していてもよい。
【００５７】
また、フレーム部材２１は、図５に示すように、メッシュ状であってもよい。メッシュ状の部分は、フレーム部材２１の全体に限られず、フレーム部材２１の一部のみであってもよい。例えば土台支持片２２及びカップ支持片２３の一方のみがメッシュ状となっていてもよい。このような構成によれば、フレーム部材２１の配置領域における通気性を高めることができる。フレーム部材２１は、射出成型によって形成してもよい。
【００５８】
また、上記実施形態では、樹脂製のフレーム部材２１を例示したが、フレーム部材は、樹脂製を除く可撓性のフレーム部材であってもよい。樹脂製以外で可撓性を有する素材であってフレーム部材に適用可能なものとしては、例えば金属、天然繊維、化学繊維などが挙げられる。金属としては、例えばスチール、アルミニウム、ニッケル、或いはこれらを主成分としたステンレス、ニッケルチタンといった合金などが挙げられる。天然繊維としては、動物性、植物性、鉱物性といった各種天然繊維が挙げられる。化学繊維としては、合成繊維、ガラス繊維、炭素繊維、人造鉱物繊維といった各種化学繊維が挙げられる。その他、天然繊維及び化学繊維の集合体或いは生地（積層生地を含む）などが挙げられる。
【００５９】
また、上記実施形態では、カップ付き衣類としてブラジャーを例示したが、本構成は、カップ付きキャミソール、カップ付きタンクトップ、カップ付きハーフトップなどの他のカップ付き衣類にも適用可能である。また、ストラップレスのカップ付き衣類に対しても適用可能である。
【符号の説明】
【００６０】
１…カップ付き衣類、２…カップ部、３…土台部、４…バック部、５…ストラップ部、１３…下縁部、１３ｃ…下縁辺、２１…フレーム部材、２２…土台支持片、２３…カップ支持片、３１Ａ…第１の前中心側部分、３１Ｂ…第２の前中心側部分、３２Ａ…第１の脇側部分、３２Ｂ…第２の脇側部分、Ｆ…前中心、Ｋ…切欠部、Ｌ１…第１のライン、Ｌ２…第２のライン、Ｐ１…連結領域、Ｒ…境界部分、Ｒ２…脇側端、Ｒａ…脇側端部、Ｒｂ…前中心側端部。
【要約】
カップ付き衣類１は、左右一対のカップ部２と、カップ部２の下縁部１３側を支持する土台部３と、左右一対のカップ部２の前中心Ｆに対応して配置される樹脂製のフレーム部材２１と、を備え、フレーム部材２１は、土台部３に沿うように前中心Ｆを挟んで左右に延びる土台支持片２２と、カップ部２の下縁部１３に沿うように土台支持片２２に左右一対に設けられたカップ支持片２３と、を有し、土台支持片２２とカップ支持片２３との境界部分Ｒは、カップ部２の下縁辺１３ｃに沿い、境界部分Ｒの脇側端Ｒ２は、カップ部２における下縁辺１３ｃの前中心側端の位置を基準とし、下縁辺１３ｃの最下端の位置をＡとした場合に、１／２Ａ〜３／２Ａの範囲内に位置している。【図１】
0006380725.tif 000002
【図２】
0006380725.tif 000003
【図３】
0006380725.tif 000004
【図４】
0006380725.tif 000005
【図５】
0006380725.tif 000006